(57)【要約】  細長い三次元の個別の製品の外表面を装飾するためのプロセス。このプロセスは、長手方向軸、及び、その長手方向軸からずれている外側表面とその外側表面上の特定の場所に配設されたしるしとを含む外表面、を有する細長い三次元の個別の製品を提供する工程と、製品が長手方向軸の周囲を回転する間及び１つ又は２つ以上の模様堆積装置が長手方向軸に対して静止している間に、１つ又は２つ以上の非接触式の直線配列のオンデマンド型堆積を行う堆積装置を使用することによって、外側表面上に既定のテクスチャ模様を形成するために、１つ又は２つ以上の材料層を堆積する工程であって、それらの層のそれぞれが特定の場所に基づいて、共通の位置合わせに従って堆積される、工程と、を含む。
2016540660.tif 000002
【特許請求の範囲】
【請求項１】
物品を装飾するためのプロセス（図１の１００）であって、
長手方向軸（図２Ａ〜２Ｃの２１５、図３Ａ〜３Ｃの３１５、図４Ａ〜４Ｃの４１５）及び、少なくとも部分的に前記長手方向軸からずれている外側表面（図２Ａ〜２Ｃの２１４、図３Ａ〜３Ｃの３１４、図４Ａ〜４Ｃの４１４、図５Ａ〜５Ｃの５１４、図８Ａ〜８Ｂの８１４、図１０Ａ〜１０Ｂの１０１４、図１１Ａの１１１４、図１３Ａ〜１３Ｃの１３１４）と前記外側表面上の特定の場所に配設されたしるし（図５Ａ〜５Ｃの５０２、図６Ａの６０２、図８Ａの８０２、図１３Ａの１３０２）とを含む外表面（図２Ａ〜２Ｃの２１３、図３Ａ〜３Ｃの３１３、図４Ａ〜４Ｃの４１３）を有する、細長い三次元の個別の物品（図２Ａ〜２Ｃの２１０、図３Ａ〜３Ｃの３１０、図４Ａ〜４Ｃの４１０）を提供する工程（図１の１０１、１０２）、
前記外側表面に適用される、隆起部（図６Ｂの６７４）とオープンな区域（図６Ｂの６７５）との既定のテクスチャ模様（図６Ｂの６７０、図１０Ａ〜１０Ｂの１０７０、図１１Ａの１１７０、図１３Ａ〜１３Ｃの１３７０）を提供する工程（図１の１０３）、及び
それぞれが直線堆積軸（図９の９６５）を含む１つ又は２つ以上の非接触式直線配列のオンデマンド型堆積を行う模様堆積装置（図９の９６２、図１０Ａ〜１０Ｂの１０６２、図１１Ａ〜１１Ｂの１１６２−１及び１１６２−２）を提供する工程、を含み、
前記プロセスが、更に、
前記物品が前記長手方向軸の周囲を回転する（図８Ａ〜８Ｂの８１０−ｒ、図１０Ａ〜１０Ｂの１０１０−ｒ、図１１Ａ〜１１Ｂの１１１０−ｒ）間及び前記１つ又は２つ以上の模様堆積装置が前記長手方向軸に対して静止している間に、前記１つ又は２つ以上の模様堆積装置を使用することによって、前記外側表面上の少なくとも一つの部分に前記既定のテクスチャ模様を形成するために、１つ又は２つ以上の材料層を堆積する工程であって、前記層のそれぞれは、前記特定の場所に基づいて、共通の位置合わせに従って堆積される、工程（図１の１６０）を、含むことを特徴とする、プロセス。
【請求項２】
前記物品を提供する工程が、前記外側表面を含む前記物品を提供する工程を含み、前記しるしがホットスタンプされたしるしである、請求項１に記載のプロセス。
【請求項３】
前記物品を提供する工程が、化粧品の主パッケージである前記物品を提供する工程を含む、請求項１又は２に記載のプロセス。
【請求項４】
前記外側表面の前記部分の表面の輪郭が前記模様堆積装置の前記直線堆積軸と実質的に平行になるように、前記模様堆積装置の少なくとも１つに対して前記物品を整列させる工程を含む、請求項１〜３のいずれか一項に記載のプロセス。
【請求項５】
前記堆積装置を提供する工程が、２つの非接触式直線配列のオンデマンド型堆積を行う模様堆積装置を提供することを含み、
前記堆積する工程が、前記模様堆積装置のそれぞれが前記長手方向軸に対して静止している間に前記模様堆積装置のそれぞれを使用して前記１つ又は２つ以上の層を堆積することを含む、請求項１〜４のいずれか一項に記載のプロセス。
【請求項６】
前記堆積する工程が材料を２〜２０層堆積することを含む、請求項１〜５のいずれか一項に記載のプロセス。
【請求項７】
前記堆積する工程が、紫外線により硬化可能な材料である材料の１つ又は２つ以上の層を堆積することを含む、請求項１〜６のいずれか一項に記載のプロセス。
【請求項８】
前記堆積する工程が、前記既定のテクスチャ模様を形成することを含み、前記隆起部の全高が１０〜５００ミクロンである、請求項１〜７のいずれか一項に記載のプロセス。
【請求項９】
前記堆積する工程が、少なくとも１回の完全な回転によって前記物品を回転することを含む、請求項１〜８のいずれか一項に記載のプロセス。
【請求項１０】
前記堆積する工程が、前記１つ又は２つ以上の材料層が前記しるしに重ならないように前記１つ又は２つ以上の材料層を堆積することを含み、
前記物品を提供する工程が、前記外側表面の特定の長手方向の部分の第１の部分内に配設される前記しるしを含む前記物品を提供することを含み、
前記堆積する工程が、前記第１の部分と重ならない、前記外側表面の前記特定の長手方向の部分の第２の部分内に前記１つ又は２つ以上の材料層を堆積することを含む、請求項１〜９のいずれか一項に記載のプロセス。
【請求項１１】
前記しるしの少なくとも一部分の存在を検出するために構成された非接触式センサーを使用して前記特定の場所を決定する工程を含む、請求項１〜１０のいずれか一項に記載のプロセス。
【請求項１２】
前記物品の機械的特徴の場所に基づいて前記特定の場所を決定することを含む、請求項１〜１１のいずれか一項に記載のプロセス。
【請求項１３】
前記模様堆積装置の少なくとも１つに対して前記物品を整列させて保持するように構成され、かつ、前記物品を前記長手方向軸の周囲で回転するように構成された、物品ホルダーを提供する工程（図７Ａ〜７Ｂの７３３；１６頁３２行〜１８頁１４行）を含み、
前記物品を提供する工程が、前記物品が前記物品ホルダーに保持されている間に前記物品を提供することを含み、かつ、
前記物品ホルダーの角度位置に基づいて前記特定の場所を決定することを含む、請求項１〜１２のいずれか一項に記載のプロセス。
【請求項１４】
前記１つ又は２つ以上の層の堆積工程によって前記しるしを適用する工程から、前記物品を前記物品ホルダーに対して固定された関係で保持し続けることを含む、請求項１３に記載のプロセス。
【請求項１５】
前記層が少なくとも部分的に堆積された後であるが、前記材料のその次の層が堆積される前に、前記材料層のそれぞれの少なくとも一部分をピニングする工程（図１の１８０；７ページ５〜１７行）を含む、請求項１〜１４のいずれか一項に記載のプロセス。
【発明の詳細な説明】
【技術分野】
【０００１】
本明細書の分野は物品を装飾するためのプロセス及び機械を概して目的とし、より具体的には、外表面上にしるしを有する細長い三次元の個別の物品の外表面をテクスチャ模様で装飾するためのプロセス及び機械を目的とする。
【背景技術】
【０００２】
多くの種類の物品が存在するが、物品によっては装飾するのが困難な場合がある。個別の物品を機械で一つ一つ取り扱うことが難しいことがある。複雑な又は湾曲した表面上への装飾が難しいことがある。加えて、細長い物品は装飾プロセス中の正しい配向を必要とする場合がある。このため、細長い三次元の個別の物品（例えばマスカラのパッケージ）の外表面の装飾は困難であり得る。
【０００３】
物品を装飾する方法もまた多く存在するが、装飾の種類によっては、適用するのが困難な場合がある。装飾的なしるしを形成する接触式プロセス（例えばホットスタンプ）には、加熱されたダイと、別個の材料の流れ（例えばホイル）が必要とされる。装飾的なテクスチャ模様で全体をカバーするには複雑な加工が必要な場合がある。加えて、複数の異なる装飾を単品に適用することには、位置合わせの問題が伴う場合がある。このため、接触式装飾とテクスチャ模様を組み合わせて物品に適用することが困難な場合がある。
【０００４】
結果として、接触式装飾とテクスチャ模様の組み合わせを細長い三次元の個別の物品に適用することは多くの難題を呈し得る。
【発明の概要】
【課題を解決するための手段】
【０００５】
しかしながら、本明細書に記載するように、本開示のプロセス及び機械を使用して、装飾的なしるしとテクスチャ模様の組み合わせを有する細長い三次元の個別の物品を効率的かつ効果的に取得することができる。
【０００６】
本開示の様々な実施形態による物品の装飾プロセスは、長手方向軸、及びその長手方向軸からずれている外側表面とその外側表面上の特定の場所に配設されたしるしとを含む外表面を有する、細長い三次元の個別の物品を提供する工程、その外側表面に適用される、隆起部とオープンな区域との既定のテクスチャ模様を提供する工程、それぞれが直線堆積軸を含む１つ又は２つ以上の非接触式直線配列のオンデマンド型堆積を行う模様堆積装置を提供する工程、及び物品が長手方向軸の周囲を回転する間及び１つ又は２つ以上の模様堆積装置が長手方向軸に対して静止している間に、１つ又は２つ以上の模様堆積装置を使用することによって、外側表面上の少なくとも一つの部分に既定のテクスチャ模様を形成するために、１つ又は２つ以上の材料層を堆積する工程であって、層のそれぞれは、特定の場所に基づいて、共通の位置合わせに従って堆積される、工程、を含む。
【０００７】
本開示の様々な実施形態による、物品を装飾するための機械は、細長い三次元の個別の物品を固定された関係において保持し、保持されている物品を回転するように構成された、少なくとも１つの物品ホルダーと、その物品ホルダーによって保持及び回転されている物品の角度位置を検出するように構成された少なくとも１つの角度エンコーダーと、を含む、インデクシングサブアセンブリであって、そのインデクシングサブアセンブリが、機械内のインデクシング移動とともに移動して、位置合わせサブアセンブリに対して位置合わせインデックス化された位置及び堆積サブアセンブリに対して堆積インデックス化された位置を含む複数のインデックス化された位置のそれぞれを通じて少なくとも１つの物品ホルダーを移動するように構成されている、インデクシングアセンブリと、位置合わせインデックス化された位置で物品ホルダーによって保持されている物品上の特徴の存在を検出するように構成されたセンサーを含む位置合わせサブアセンブリであって、インデクシングサブアセンブリから分離された機械に装着されている、位置合わせサブアセンブリと、堆積インデックス化された位置で物品ホルダーによって保持され物品ホルダーによって回転されている物品の外側表面上に１つ又は２つ以上の材料層を堆積するようにそれぞれが構成されている、１つ又は２つ以上の非接触式直線配列のオンデマンド型堆積を行う模様堆積装置を含む堆積サブアセンブリであって、インデクシングサブアセンブリから分離された機械に装着されている、堆積サブアセンブリと、センサー、角度エンコーダー、及び１つ又は２つ以上の模様堆積装置と通信するコントローラであって、センサーからの検出信号を受信し、角度エンコーダーから角度位置を受信し、１つ又は２つ以上の模様堆積装置に指示を送信して、既定のテクスチャ模様の１つ又は２つ以上の材料層を、物品ホルダーによって堆積位置において保持され回転されている物品の外側表面上に堆積するように構成されている、コントローラと、を含む。
【図面の簡単な説明】
【０００８】
【図１】本開示の実施形態による、装飾的なしるし及びテクスチャ模様を用いて細長い三次元の個別の物品を装飾するプロセスにおける工程を示すフローチャートである。
【図２Ａ】本開示の実施形態による、しるし及びテクスチャ模様を用いて装飾するのに好適な、円筒形の全体形状を有する外表面を有する例示の物品の底面図を示す。
【図２Ｂ】図２Ａの物品の側面図を示す。
【図２Ｃ】図２Ｂの物品の断面図を示す。
【図３Ａ】本開示の実施形態による、しるし及びテクスチャ模様を用いて装飾するのに好適な、円錐台形の全体形状を有する外表面を有する例示の物品の底面図を示す。
【図３Ｂ】図３Ａの物品の側面図を示す。
【図３Ｃ】図３Ｂの物品の断面図を示す。
【図４Ａ】本開示の実施形態による、しるし及びテクスチャ模様を用いて装飾するのに好適な、葉巻形の全体形状を有する外表面を有する例示の物品の底面図を示す。
【図４Ｂ】図４Ａの物品の側面図を示す。
【図４Ｃ】図４Ｂの物品の断面図を示す。
【図５Ａ】本開示の実施形態による、テクスチャ模様を用いて装飾するのに好適な、しるしを有する例示の図２Ａの物品の上面斜視図を示す。
【図５Ｂ】図５Ａの物品の上面図を示す。
【図５Ｃ】図５Ａの物品の底面図を示す。
【図６Ａ】外側表面を平らに広げたときの、図５Ａの物品の外側表面の平面図を示す。
【図６Ｂ】テクスチャ模様を平らに広げたときの、図５Ａの物品の外側表面を装飾するためのテクスチャ模様の平面図を示す。
【図７Ａ】本開示の実施形態による、物品ホルダーに図５Ａの物品を装填する第１の時点での装填サブアセンブリの一部の側面図を示す。
【図７Ｂ】物品ホルダーに図５Ａの物品が装填された第２の時点での図７Ａの装填サブアセンブリの一部の側面図を示す。
【図８Ａ】本開示の実施形態による、図５Ａの物品の外側表面上のしるしの存在を検出するための位置合わせサブアセンブリの一部の上面斜視図を示す。
【図８Ｂ】本開示の実施形態による、図５Ａの物品の外側端面上の機械的特徴の存在を検出するための位置合わせサブアセンブリの一部の上面斜視図を示す。
【図９】本開示の実施形態による、非接触式の直線配列のオンデマンド型堆積を行う模様堆積装置の底面斜視図を示す。
【図１０Ａ】本開示の実施形態による、長手方向軸の周囲を物品が回転する間に図５Ａの物品の外側表面上に図６Ｂのテクスチャ模様を形成するために図９の模様堆積装置が材料を堆積する、堆積サブアセンブリの一部の前端図を示す。
【図１０Ｂ】本開示の実施形態による、堆積サブアセンブリの一部及び図１０Ａの物品並びにピニングサブアセンブリの一部の拡大前端図を示しており、ピニング光源は長手方向軸の周囲を物品が回転する間に物品の外側表面上にピニングレベルの紫外線を適用する。
【図１１Ａ】２つの非接触式の直線配列されたオンデマンド型堆積を行う模様堆積装置が、物品がその長手方向軸の周囲を回転する間に、しるしを有する細長い三次元の個別の物品の外側表面上にテクスチャ模様を形成するために材料を堆積する、本開示の実施形態による、堆積サブアセンブリの一部の上面斜視図を示す。
【図１１Ｂ】堆積サブアセンブリの一部及び図１１Ａの物品の前端図を示す。
【図１２Ａ】本開示の実施形態による、細長い三次元の個別の物品を装飾するための機械の概略側面図を示し、この機械は、垂直配向の非往復回転運動のために構成されたインデクシングサブアセンブリと、複数のサブアセンブリとを有する。
【図１２Ｂ】本開示の実施形態による、細長い三次元の個別の物品を装飾するための機械の概略側面図を示し、この機械は、水平配向の往復線形運動のために構成されたインデクシングサブアセンブリと、複数のサブアセンブリとを有する。
【図１３Ａ】本開示の実施形態による、図６Ｂのテクスチャ模様を用いて装飾された、しるしを有する図５Ａの物品の上面斜視図を示す。
【図１３Ｂ】図１３Ａの物品の上面図を示す。
【図１３Ｃ】図１３Ａの物品の底面図を示す。
【発明を実施するための形態】
【０００９】
本開示は、本明細書に記載のように、装飾的なしるしとテクスチャ模様の組み合わせを有するように細長い三次元の個別の物品を効率的かつ効果的に装飾する用途のためのプロセス及び機械を含む。
【００１０】
図１は、本開示の実施形態による、装飾的なしるし及びテクスチャ模様を用いて細長い三次元の個別の物品を装飾するプロセスにおける工程を示すフローチャート１００である。
【００１１】
プロセス１００の第１工程１０１は、機械で装飾される物品を提供する工程を含み、この物品は、例えば、本明細書に記載の図２Ａ〜２Ｃの物品２１０又は当該技術分野で公知のものなど、任意の種類の細長い三次元の個別の製品であってよい。
【００１２】
プロセス１００の第２工程１０２は、第１工程１０１の物品に適用されるしるしを提供する工程を含み、このしるしは、例えば本明細書に記載の図５Ａ〜５Ｃのしるし５０２又は当該技術分野で公知のものなど、任意の種類のしるしであってよい。
【００１３】
本明細書で使用するとき、用語「しるし」（単数・複数可）は、本明細書に開示される又は当該技術分野で公知の、任意の組み合わせによる、任意の大きさ、形、又は構成の、記号、図形、ブランディング、又は他の視覚的な要素の１つ又は２つ以上を指す。本明細書で使用するとき、用語「記号」（単数・複数可）は、情報を伝えることを目的とする、１つ又は２つ以上の視覚的な要素を指す。記号の例としては、文字、数字、シンボル、などのうちのいずれかの１つ又は２つ以上が含まれる。本明細書で使用するとき、用語「図形」（単数・複数可）は、装飾を提供するか又は情報を伝達することを目的とする、１つ又は２つ以上の視覚的な要素を指す。図形の例としては、色、模様、デザイン、画像などのいずれかのうちの１つ又は２つ以上が含まれる。本明細書で使用するとき、用語「ブランディング」は、ある物品を他の物品と区別することを目的とする、１つ又は２つ以上の視覚的な要素を指す。ブランディングの例としては、商標、トレードドレス、ロゴ、アイコンなどのいずれかのうちの１つ又は２つ以上が含まれる。
【００１４】
プロセス１００の第３工程１０３は、第１工程１０１の物品に適用されるテクスチャ模様を提供する工程を含み、このテクスチャ模様は、本明細書に記載の図６Ａテクスチャ模様６７０又は当該技術分野で公知のものなど、任意の種類の模様であってよい。プロセス１００の様々な実施形態において、１つ又は２つ以上のテクスチャ模様を工程１０３で堆積することができる。
【００１５】
プロセス１００の第４工程１０４は、本明細書に記載のように、プロセス１００に従って第１工程１０１の物品を装飾するための機械を提供することを含む。この機械は、本明細書に記載のように、第１工程１０１の物品に対して工程１３０、１４０、１５０、１６０、１８０−１、１８０−２、及び１３９を行うように構成された１つ又は２つ以上の部品（例えばサブアセンブリ）を含むことができる。例えば、第４工程１０４の機械は、本明細書に記載のそれらの任意の代替実施形態を含む、図１２Ａの機械１２０４−ａ又は図１２Ｂの機械１２０４−ｂである場合がある。
【００１６】
プロセス１００の第５工程１３０は、第４工程１０４の機械に第１工程１０１の物品を装填することを含む。第５工程１３０の装填は、本明細書に開示されている又は当該技術分野で公知の任意の方法で実施されてよい。例えば、図７Ａ及び７Ｂの実施形態との関係において記載したように装填を実施することができる。任意で、第５工程１３０を省略してもよく、装填工程なしで第４工程の機械に物品を提供してもよく、又は、上流の製造工程及び／又は加工工程の後に機械の内部から物品を受け取ってもよい。
【００１７】
プロセス１００の第６工程１４０は、第４工程１０４の機械を用いて第２工程１０２のしるしを第１工程１０１の物品に適用することを含む。第６工程１４０の適用は、本明細書に開示されている又は当該技術分野で公知の任意の方法で行ってよい。任意で、第６工程１４０を省略してもよく、第１工程１０１で提供される物品を、既にしるしを有する物品として提供して、適用工程を不要としてもよい。
【００１８】
プロセス１００の第７工程１５０は、第４工程１０４の機械を用いて第２工程１０２のしるしの特定の位置を第１工程１０１の物品上で位置合わせすることを含む。第７工程１５０の位置合わせは、本明細書に開示されている又は当該技術分野で公知の任意の方法で実施してよい。例えば、図８Ａ及び８Ｂの実施形態との関係において記載したように位置合わせを実施することができる。第２工程１０２のしるしを第３工程１０３のテクスチャ模様と整列させることが望まれない実施形態では、第７工程１５０を任意で省略してもよい。
【００１９】
プロセス１００の第８工程１６０は、第３工程１０３のテクスチャ模様を第１工程１０１の物品に堆積することを含む。第８工程１６０の堆積は、本明細書に開示されている又は当該技術分野で公知の任意の方法で行ってよく、テクスチャ模様は１つ又は２つ以上の部品及び／又は１つ又は２つ以上の材料層で形成してよい。例えば、図１０Ａ〜１１Ｂの実施形態との関係において記載したように堆積を実施することができる。プロセス１００の様々な実施形態において、１つ又は２つ以上のテクスチャ模様を第８工程１６０で堆積することができる。実施形態によっては、第８工程１６０の堆積が、単一の工程、若しくは複数の工程、又は複数のプロセス（それぞれが１つ又は２つ以上の工程を有する）を表す場合がある。
【００２０】
プロセス１００の第９工程１８０−１は、第８工程１６０で堆積されたテクスチャ模様を第１工程１０１の物品の定位置にピニングすることを含む。プロセス１００の工程は様々なタイミング／順序で実施することができるが、本開示は、オーバーラップするタイミングでこれらの工程を部分的に行うことができるように、第８工程１６０の堆積が終了する前に第９工程１８０−１のピニングを開始できる実施形態を特に企図する。第９工程１８０−１でのピニングは、本明細書に開示されている又は当該技術分野で公知の任意の方法で行ってよい。任意で、堆積されたテクスチャ模様をピニングするために第９工程１８０−１が不要な実施形態では、第９工程１８０−１を省略してもよい。加えて、様々な実施形態において任意で、第９工程１８０−１でのピニングの一部又は全てが完了した後に、第１工程１０１の物品に追加の堆積を提供するために（逆戻りする向きの矢印が示すように）１６５で第８工程１６０の堆積を繰り返してもよい。あるいは、第９工程１８０−１を、第８工程１６０で堆積したテクスチャ模様を変更、処置、補強、又は完成する別の種類の堆積後工程と置き換えてもよい。
【００２１】
プロセス１００の第１０工程１８０−２は、第８工程１６０で堆積されたテクスチャ模様を第１工程１０１の物品上で硬化することを含む。プロセス１００の工程は様々なタイミング／順序で実施することができるが、本開示は、オーバーラップするタイミングでこれらの工程を部分的に行うことができるように、第９工程１８０−１のピニングが終了する前に第１０工程１８０−２の硬化を開始できる実施形態を特に企図する。第１０工程１８０−２での硬化は、本明細書に開示されている又は当該技術分野で公知の任意の方法で実施してよい。任意で、堆積されたテクスチャ模様を硬化するために硬化工程１８０−２が不要な実施形態では、硬化工程１８０−２を省略してよい。あるいは、第１０工程１８０−２を第９工程１８０−１と組み合わせることで、単一の途切れのない工程としてピニング及び硬化を行ってもよい。あるいはまた、第１０工程１８０−２を、第９工程１８０−１でピニングしたテクスチャ模様を変更、処置、補強、又は完成する別の種類のピニング後工程と置き換えてもよい。
【００２２】
プロセス１００の第１１工程１３９は、第４工程１０４の機械から第１工程１０１の物品をアンローディングすることを含む。第１１工程１３９でのアンローディングは、本明細書に開示されている又は当該技術分野で公知の任意の方法で行ってよい。例えば、このアンローディングは、図７Ａ及び７Ｂの実施形態との関係において記載したように、第５工程１３０の装填を本質的に逆にすることによって実施することができる。また、任意で、第１１工程１３９を省略してもよく、アンローディング工程なしで第４工程の機械から物品を取り出してもよく、又は、機械内の物品を下流の加工工程及び／又はパッケージング工程のために続行させてもよい。
【００２３】
様々な実施形態において、プロセス１００の工程は、図１に示した（上から下への）順序で実施してもよく、又は、連続的に若しくは１つ又は２つ以上の工程がオーバーラップする時間に実施されるように、若しくは１つ又は２つ以上の工程を並行に、若しくは特定の工程を（上記のように）省略して、若しくは１つ又は２つ以上の追加の工程とともに、当該技術者に理解されるであろう任意の実行可能な方法で、その他の順序で実施してもよい。
【００２４】
図２Ａ〜２Ｃは、円筒形の全体形状を有する外表面２１３を有する例示の物品２１０を示す。図２Ａは物品２１０の底面図を示し、図２Ｂは物品２１０の側面図を示し、図２Ｃは物品２１０を（長手方向に）真ん中で切断したときの物品２１０の断面図を示す。物品２１０は、その全体形状の中心に沿って配置される長手方向軸２１５、並びに長手方向軸２１５で互いに交差する水平基準軸２１６及び垂直基準軸２１７を含む。
【００２５】
物品２１０は、円筒形の一端が形成する平らな底端部２１１を有する底部２１３、及び円筒形のもう一方の端が形成する平らな上端部２１９を有する上部２１８を含む。物品２１０は、上端部２１９の外縁と底端部２１１の外縁との間に、長手方向軸２１５に平行の直線で測定される全長を有する。物品２１０は外表面２１３を有し、外表面２１３は、底端部２１１、上端部２１９、及び円筒形の巻かれた曲面によって形成されかつ長手方向軸２１５からずれている外側表面２１４を含む物品の外側を含む。外側表面２１４はまた、上部２１８の外側表面２１４の外縁と底部２１２の外側表面２１４の外縁との間の最大距離として、長手方向軸２１５と平行の直線として測定される全長を有する。底端部２１１の外表面２１３の一部分は、本明細書に記載されている、例えば図１の第７工程１５０のような位置合わせ工程中にセンサーで検出するのに好適な表面構造物である機械的特徴２１１−ｍｆを含む。機械的特徴２１１−ｍｆは、低端部２１１に配設された径方向に傾斜した斜めの環状扇形の凹みとして図示されているが、様々な実施形態において、機械的特徴２１１−ｍｆは多様な形状であり得る。物品２１０はまた、本体部分２１０−ｂ及びキャップ部分２１０−ｃを含み、キャップ部分２１０−ｃは、当該技術分野で公知の取り外し可能／再装着可能なキャップを形成し得る。
【００２６】
図２Ｂで見られるように、物品２１０が底端部２１１から上端部２１９までの円筒形であるために、外側表面２１４は長手方向軸２１５から一定距離だけずれており、結果として、表面全体が実質的に平坦で水平な輪郭となっている。図２Ｃに見られるように、物品２１０は全体に円形の断面を有し、したがって、長手方向軸２１５を中心に対称である。物品２１０はまた、その断面の最大幅にわたって長手方向軸２１５に垂直な直線で測定される全体断面寸法２２５を有し、これは例えば１〜５センチメートルなど様々なサイズ、若しくは任意の範囲のサイズ、又は１〜５センチメートルのうちの任意の整数で形成される任意の特定のサイズでよい。
【００２７】
様々な実施形態において、異なる全体形状を有する細長い三次元の個別の物品となるように、物品２１０の一部、複数の部分、又は全部は、本明細書に開示されている及び／又は当該技術分野で公知の、１つ又は２つ以上の任意の別の及び／又は追加のサイズ、形、割合、形状、及び／又は構造的特徴の任意の実行可能な組み合わせによって変えられる場合がある。具体的には、そのような物品が、その全長の１つ又は２つ以上の部分にかけて及び／又はその外側表面の１つ又は２つ以上の部分にかけて円筒形を有し、その他の部分が１つ又は２つ以上の異なる形を有する、部分的にのみ円筒形である場合があると企図される。更なる代替実施形態において、物品２１０の一端又は両端を任意の便利な形で構成することができる。また更なる代替実施形態において、物品２１０の全体の断面形状の一部、複数の部分、又は全部は、連続した丸い形（例えば楕円、細長い円など）であってもよく、若しくは角の丸い多角形（三角形、四角形、五角形、六角形など）であってもよく、若しくは物品の長手方向軸を中心に対称の１つ又は２つ以上の他の断面形状であってもよい。様々な実施形態において、物品２１０は、例えば化粧品（例えばマスカラ）のような使い捨ての消費者物品用の一次パッケージである場合がある。
【００２８】
物品２１０、及びその代替実施形態のいずれもが、本開示の実施形態に従ってしるし及びテクスチャ模様を用いて装飾するために好適であり得る。
【００２９】
図３Ａ〜３Ｃは、円筒台形の全体形状を有する外表面３１３を有する例示の物品３１０を示す。図３Ａは物品３１０の底面図を示し、図３Ｂは物品３１０の側面図を示し、図３Ｃは物品３１０を（長手方向に）真ん中で切断したときの物品３１０の断面図を示す。物品３１０は、その全体形状の中心に沿って配置される長手方向軸３１５、並びに長手方向軸３１５で互いに交差する水平基準軸３１６及び垂直基準軸３１７を含む。
【００３０】
物品３１０は、円筒台形の小さいほうの端部が形成する平らな底端部３１１を有する底面３１２、及び円筒台形の大きいほうの端部が形成する平らな上端部３１９を有する上面３１８を含む。物品３１０は、上端部３１９の外縁と底端部３１１の外縁との間に、長手方向軸３１５に平行の直線で測定される全長を有する。物品３１０は外表面３１３を有し、外表面３１３は、底端部３１１、上端部３１９、及び円筒台形の巻かれた曲面によって形成されかつ長手方向軸３１５からずれている外側表面３１４を含む物品の外側を含む。外側表面３１４はまた、上部３１８の外側表面３１４の外縁と底部３１２の外側表面３１４の外縁との間の最大距離として、長手方向軸３１５と平行の直線として測定される全長を有する。底端部３１１の外表面３１３の一部分は機械的特徴３１１−ｍｆを含む。機械的特徴３１１−ｍｆは、径方向に傾いた傾斜した環状扇形の凹みとして底端部３１１上に配置されて図示されている。物品３１０はまた、本体部分３１０−ｂ及びキャップ部分３１０−ｃを含み、キャップ部分３１０−ｃは、当該技術分野で公知の取り外し可能／再装着可能なキャップを形成し得る。
【００３１】
図３Ｂに見られるように、物品３１０が底端部３１１から上端部３１９までの円筒台形であるために、外側表面３１４は長手方向軸３１５から距離を増加するように離れて行き、結果として、表面全体は、実質的に平坦だが、ある角度で傾斜した輪郭となっている。図３Ｃに見られるように、物品３１０は全体に円形の断面を有し、したがって、長手方向軸３１５を中心に対称である。物品３１０はまた、その断面の最大幅にわたって長手方向軸３１５に垂直の直線で測定される全体断面寸法３２５を有し、これは例えば１〜５センチメートルなど様々なサイズ、若しくは任意の範囲のサイズ、又は１〜５センチメートルのうちの任意の整数で形成される任意の特定のサイズでよい。
【００３２】
様々な実施形態において、異なる全体形状を有する細長い三次元の個別の物品となるように、物品３１０の一部、複数の部分、又は全部は、本明細書に開示されている及び／又は当該技術分野で公知の、１つ又は２つ以上の任意の別の及び／又は追加のサイズ、形、割合、形状、及び／又は構造的特徴の任意の実行可能な組み合わせによって変えられる場合がある。具体的には、そのような物品が、その全長の１つ又は２つ以上の部分にかけて及び／又はその外側表面の１つ又は２つ以上の部分にかけて円筒台形を有し、その他の部分が１つ又は２つ以上の異なる形を有する、部分的にのみ円筒台形である場合があると企図される。更なる代替実施形態において、物品３１０の一端又は両端を任意の便利な形で構成することができる。また更なる代替実施形態において、物品３１０の全体の断面形状の一部、複数の部分、又は全部は、連続した丸い形（例えば楕円、細長い円など）であってもよく、若しくは角の丸い多角形（三角形、四角形、五角形、六角形など）であってもよく、若しくは物品の長手方向軸を中心に対称の１つ又は２つ以上の他の断面形状であってもよい。様々な実施形態において、物品３１０は、例えば化粧品（例えばマスカラ）のような使い捨ての消費者物品用の一次パッケージである場合がある。
【００３３】
物品３１０、及びその代替実施形態のいずれもが、本開示の実施形態に従ってしるし及びテクスチャ模様を用いて装飾するために好適であり得る。
【００３４】
図４Ａ〜４Ｃは、葉巻の形（すなわち、中央が比較的厚く両端が丸い連続した曲面）の全体形状を有する外表面４１３を有する例示の物品４１０を示す。図４Ａは物品４１０の底面図を示し、図４Ｂは物品４１０の側面図を示し、図４Ｃは物品４１０を（長手方向に）真ん中で切断したときの物品４１０の断面図を示す。物品４１０は、その全体形状の中心に沿って配置される長手方向軸４１５、並びに長手方向軸４１５で互いに交差する水平基準軸４１６及び垂直基準軸４１７を含む。
【００３５】
物品４１０は、葉巻形の一端が形成する丸い底端部４１１を有する底部４１２、及び葉巻形のもう一方の端が形成する丸い上端部４１９を有する上部４１８を含む。物品４１０は、上端部４１８の外縁と底端部４１１の外縁との間に、長手方向軸４１５に平行の直線で測定される全長を有する。物品４１０は外表面４１３を有し、外表面４１３は、底端部４１１、上端部４１９、及び葉巻形の巻かれた曲面によって形成されかつ長手方向軸４１５からずれている外側表面４１４を含む物品の外側を含む。外側表面４１４はまた、上部４１８の外側表面４１４の外縁と底部４１２の外側表面４１４の外縁との間の最大距離として、長手方向軸４１５と平行の直線として測定される全長を有する。底端部４１１の外表面４１３の一部分は機械的特徴４１１−ｍｆを含む。機械的特徴４１１−ｍｆは、底端部４１１上に配設された丸い突起として図示されている。物品４１０はまた、本体部分４１０−ｂ及びキャップ部分４１０−ｃを含み、キャップ部分４１０−ｃは、当該技術分野で公知の取り外し可能／再装着可能なキャップを形成し得る。
【００３６】
図４Ｂに見られるように、物品４１０が底端部４１１から上端部４１９までの葉巻形であるために、外側表面４１４は長手方向軸４１５から変化する距離（すなわち、漸増した後漸減する距離）だけ離れて、結果として、およそ平らとみなしてよい部分のある、全体として湾曲した表面輪郭となっている。図４Ｃに見られるように、物品４１０は全体に円形の断面を有し、したがって、長手方向軸４１５を中心に対称である。物品４１０はまた、その断面の最大幅にわたって長手方向軸４１５に垂直の直線で測定される全体断面寸法４２５を有し、これは例えば１〜５センチメートルなど様々なサイズ、若しくは任意の範囲のサイズ、又は１〜５センチメートルのうちの任意の整数で形成される任意の特定のサイズでよい。
【００３７】
様々な実施形態において、異なる全体形状を有する細長い三次元の個別の物品となるように、物品４１０の一部、複数の部分、又は全部は、本明細書に開示されている及び／又は当該技術分野で公知の、１つ又は２つ以上の任意の別の及び／又は追加のサイズ、形、割合、形状、及び／又は構造的特徴の任意の実行可能な組み合わせによって変えられる場合がある。具体的には、そのような物品が、その全長の１つ又は２つ以上の部分にかけて及び／又はその外側表面の１つ又は２つ以上の部分にかけて葉巻形を有し、その他の部分が１つ又は２つ以上の異なる形を有する部分的にのみ葉巻形である場合があると企図される。更なる代替実施形態において、物品４１０の一端又は両端を任意の便利な形で構成することができる。また更なる代替実施形態において、物品４１０の全体の断面形状の一部、複数の部分、又は全部は、連続した丸い形（例えば楕円、細長い円など）であってもよく、若しくは角の丸い多角形（三角形、四角形、五角形、六角形など）であってもよく、若しくは物品の長手方向軸を中心に対称の１つ又は２つ以上の他の断面形状であってもよい。様々な実施形態において、物品４１０は、例えば化粧品（例えばマスカラ）のような使い捨ての消費者物品用の一次パッケージである場合がある。
【００３８】
物品４１０、及びその代替実施形態のいずれもが、本開示の実施形態に従ってしるし及びテクスチャ模様を用いて装飾するために好適であり得る。
【００３９】
図５Ａ〜１３Ｃは、本明細書に開示されているように、例示の物品に本明細書に開示のプロセスを実施するための、本明細書に開示の機械の使用を示す。具体的には、図５Ａ〜１３Ｃは、図６Ｂの装飾的しるし及びテクスチャ模様６７０を用いて図５の物品５１０を装飾するために該物品に図１のプロセス１００を実施するための、図１２Ａの機械１２０４−ａの使用を示している。しかしながら、本開示の範囲はこの特定の機械とプロセスと物品の組み合わせに限定されない。本明細書に記載の機械の任意の実施形態を使用して、本明細書に記載の又は当該技術分野で公知の任意の細長い三次元の個別の物品に、任意の実行可能な組み合わせにおいて、本明細書に記載の装飾プロセスの実施形態のいずれかを実施することができる。
【００４０】
図５Ａ〜５Ｃは、しるし５０２を有する例示の物品５１０を示す。図５Ａは物品５１０の上面斜視図を示し、図５Ｂは物品５１０の上面図を示し、図５Ｃは物品５１０の底面図を示す。図５Ａ〜５Ｃにおいて、物品５１０は図２Ａ〜２Ｃの物品２１０と同じであり、同様の番号が付された要素は同じ方法で構成されているが、物品５１０は以下に説明するしるし５０２を含んでいる。
【００４１】
しるし５０２は星として図５Ａ〜５Ｃに図示されている。しかしながら、しるし５０２は本明細書に記載されている又は当該技術分野で公知の任意の種類のしるしであってよい。しるし５０２は、物品５１０の外側面５１４上の、該物品の本体部５１０−ｂ上の特定の場所５０２−ｐｌに配設されている。図５Ａ〜５Ｃにおいて、特定の場所５０２−ｐｌは、しるし５１０の星形の周囲を囲む（参照線で形成された）円とともに図示されている。しかしながら、特定の場所５１０−ｐｌはいかなる特定の大きさ又は形にも限定されないが、外側表面５１４上のしるし５０２の指定された配置を表すことを目的としている。図５Ａ〜５Ｃのしるし５０２は、当業者には理解されるように、物品５１０の外側表面５１４上で金属ホイルにスタンプするために加熱されたダイを用いる従来のホットスタンピング装飾プロセスによって適用された、ホットスタンプされたしるしである。しかしながら、しるし５０２は、当該技術分野で公知の任意の種類の（接触又は非接触式の）装飾プロセスによって適用されてよいものと企図される。
【００４２】
上記にて物品５１０は物品２１０に基づいて説明されているが、代替実施形態では、物品５１０は、図１のプロセス１００との関係において記載したように、テクスチャ模様で装飾するのに好適な任意の細長い三次元の個別の物品であり得る。例えば、物品５１０は、図２Ａ〜２Ｃの物品２１０、図３Ａ〜３Ｃの物品３１０、図４Ａ〜４Ｃの物品４１０、又はそれらの代替実施形態のいずれかに基づくものであってよい。
【００４３】
図６Ａは、物品を平らに広げたときの、円筒形の物品の外側表面６１４−ｌｆの平面図を示す。図６Ａにおいて、外側表面６１４−ｌｆは図５Ａ〜５Ｃの物品５１０の外側表面５１４と同じであるが、下記に説明されるように、外側表面６１４−ｌｆは平らに広げられていて矩形である。外側表面６１４−ｌｆはテクスチャ模様で装飾するのに好適である。
【００４４】
外側表面６１４−ｌｆは、先端縁６２２及び後端縁６２３に平行の、以下に説明される周方向全体の寸法６２４の中心に配設される長手方向中心線６１５を含む。
【００４５】
外側表面６１４−ｌｆは、物品５１０の外側表面５１４の場所及び寸法に対応する場所及び寸法を有する。外側表面６１４−ｌｆは、物品５１０の底部５１２での外側表面５１４の外側の範囲に対応する直線の底縁６２１を含む。外側表面６１４−ｌｆは、物品５１０の上部５１８での外側表面５１４の外側の範囲に対応する直線の上縁６２８を含む。外側表面６１４−ｌｆは、底縁６２１と上縁６２８との間の最大距離として直線で測定される全長６２０を含み、この全長６２０は物品５１０の外側表面５１４の全長に対応する。
【００４６】
外側表面６１４−ｌｆは、物品５１０上の仮想分割線によって形成される、長手方向軸５１５に平行な、しるし５０２と反対側の外側表面５１４の垂直基準軸５１７と交差する、直線の先端縁６２２及び直線の後端縁６２３を含み、この実施形態では、分割線は単純に便利な場所に置かれている。しかしながら、様々な実施形態において、この分割線は、外側表面を平らに広げるために実行可能な任意のやり方で置かれてよい。先端縁６２２及び後端縁６２３は、外側表面６１４−ｌｆの直線移動６１４−ｍの方向に対するそれらの相対的な順序を特定するためにそのように指定されている。
【００４７】
外側表面６１４−ｌｆは、外側表面６１４−ｌｆを含む物品が回転したときに直線移動６１４−ｌｆで移動するように構成されている。すなわち、物品５１０がその長手方向軸５１５の周囲で時計回り（その上端部５１９から見たとき）に回転すると、外側表面６１４−ｌｆが平らに広げられているときに対応する直線移動６１４−ｍとして示されているように、外側表面５１４が回転移動する。直線移動６１４−ｍｆは長手方向中心線６１５に対して垂直である。
【００４８】
外側表面６１４−ｌｆは、先端縁６２２と後端縁６２３との間の最大距離として直線で測定される周方向全体寸法６２４を含み、全長６２０は物品５１０の外側表面５１４の全長に相当する。外側表面６１４−ｌｆは、物品５１０の本体部分５１０−ｂの縁がキャップ部分５１０−ｃの縁と接触する接触縁６２６もまた含む。
【００４９】
外側表面６１４−ｌｆは、図５Ａ〜５Ｃのしるし５０２と同じであるが平らに広げた状態のしるし６０２もまた含む。しるし６０２は、図５Ａ〜５Ｃの特定の場所５０２−ｐｌと同じである、外側表面６１４−ｌｆ上の特定の場所６０２−ｐｌに配設されているが、外側曲面５１４上のその角度位置は、平らに広げた外側表面６１４−ｌｆ上での対応する直線位置に平行移動されている。図５Ａ〜５Ｃでは、特定の場所５０２−ｐｌは本体部分５１０−ｂの外側表面５１４の上向きの面の一部に、垂直基準軸５１７を中心に配設されるので、特定の場所６０２−ｐｌは、接触縁６２６より下の外側表面６１４−ｌｆの上向きの面の一部上で、長手方向中心線６１５を中心に配設される。
【００５０】
外側表面６１４−ｌｆは、図６Ｂの既定のテクスチャ模様との関係を説明するために、図６Ａでは平らに広げられて図示されている。外側表面６１４−ｌｆは円筒形物品の外側表面に基づいているが、当業者には理解されるように、本明細書に記載の又は当該技術分野で公知のその他の細長い三次元の個別の物品の外側表面もまた、角度のある形状を直線の形状に変換することによって同様に平らに広げることができる。
【００５１】
図６Ｂは、図６Ａの外側表面６１４−ｌｆに装飾として適用される、隆起部６７４とオープンな区域６７５との既定のテクスチャ模様６７０を平らに広げた平面図を示す。テクスチャ模様において、１つ又は２つ以上の隆起部は、物品の外側表面上に配設された１つ又は２つ以上の材料により形成されており、一方、オープンな区域は、外側表面の隆起部の間及び周囲の部分によって、いかなる堆積材料もなしに、形成されている。テクスチャ模様６７０において、隆起部６７４は堆積された材料の直線のストリップであり、それぞれが一定の幅６７４−ｗを有しており、テクスチャ模様６７０の隆起部６７４及び外側範囲６７７を境界とした実質的に矩形を有するオープンな区域６７５とともに直交の格子を形成するように配置されている。しかしながら、様々な実施形態において、テクスチャ模様は、当該技術分野において公知の任意の大きさ、形、形状、及び／又は模様をそれぞれが有する任意の数の隆起した区域と任意の数のオープンな区域との任意の実行可能な組み合わせで構成されてよい。
【００５２】
図６Ｂのテクスチャ模様６７０は、図６Ａの外側表面６１４−ｌｆの場所及び寸法に対応する場所及び寸法で構成及び配向される。テクスチャ模様６７０は、直線の後端縁６７３と接続する直線底縁６７１により形成された矩形の外側範囲６７７を含み、直線の後端縁６７３は直線の上縁６７８と接続し、それが直線の先端縁６７２と接続し、それが再び直線底縁６７１と接続する。テクスチャ模様６７０の底縁６７１は、図６Ａの外側表面６１４−ｌｆの底縁６２１に対応する。テクスチャ模様６７０の後端縁６７３は、図６Ａの外側表面の後端縁６２３に対応する。テクスチャ模様６７０の上縁６７８は、図６Ａの外側表面６１４−ｌｆの上縁６２８に対応する。テクスチャ模様６７０の先端縁６７２は、図６Ａの外側表面６１４−ｌｆの先端縁６２２に対応する。しかしながら、様々な実施形態において、テクスチャ模様の先端縁及び後端縁の場所は外側表面の特定の場所に対応しなくてもよく、任意の便利な場所に選択されてよい。
【００５３】
テクスチャ模様６７０の外側範囲６７７は外側表面６１４−ｌｆ上の利用可能なスペースの実質的に全てに適合する大きさであるが、様々な実施形態において、テクスチャ模様は、外側表面上の利用可能なスペースの一部のみを使用する大きさであってもよい。例えば、外側表面の一部のみが装飾されるときは、外側範囲６７７をその部分に制限することができる。
【００５４】
オープンな区域６７５に加えて、テクスチャ模様６７０は、図６Ａの外側表面６１４−ｌｆ上の多様な特徴に対応するように、堆積材料のないその他の区域もまた含む。隆起部６７４のいくつかのストリップは、上縁６７８から一定の距離を空けて配置された間隙６７６の線によって中断されている。テクスチャ模様６７０を形成する材料が、物品の本体部が物品のキャップ部分と接触する縁を横切って堆積されないように、間隙６７５は、外側表面６１４−ｌｆの接触縁６２６に対応するように意図されている。隆起部６７４のいくつかは、（基準線で形成された）円で描かれている特定の場所６７５−ｐｌによってもまた中断されている。テクスチャ模様６７０を形成する材料が物品の外表面上のしるしの上に堆積されないように、特定の場所６７５−ｐｌは、外側表面６１４−ｌｆ上のしるし６０２のための特定の場所６２０−ｐｌに対応するように意図されている。様々な実施形態では、テクスチャ模様６７０の１つ又は２つ以上の隆起部は、例えば直線の底縁６７１、直線の後端縁６７３、直線の上縁６７８、及び／又は直線の先端縁６７２などの外側範囲６７７の一部、複数の部分、又は全部と、１つ又は２つ以上のオープンな区域とが隣接することができるように、テクスチャ模様の外側範囲６７７までの全範囲にわたっては延在しない場合がある。
【００５５】
テクスチャ模様６７０は、外側表面６１４−ｌｆを含む物品が回転したときに図６Ａの外側表面６１４−ｌｆに適用されるように構成されている。すなわち、物品が回転し、外側表面６１４−ｌｆが対応する直線移動６１４−ｍで移動すると、底縁６７１から上縁６７８までの１つ又は２つ以上の帯状の場所に隆起区域６７４を形成する材料を堆積することによってテクスチャ模様６７０が外側表面６１４−ｌｆ上に形成され、堆積の方向６７０−ｍが示しているように、この堆積は先端縁６７２で始まり後端縁６７３で終わる。
【００５６】
テクスチャ模様の全てのオープンな区域を合計したときにそれがテクスチャ模様の全面積に占める割合は様々であり得る。例えば、オープンな区域は、テクスチャ模様の全面積の１〜９９％、若しくは１〜９９％の任意の整数値、又は上記の値のいずれかの任意の組み合わせで作られる任意の範囲を占めることができる。
【００５７】
図７Ａは、本開示の実施形態による、物品ホルダー７３３に物品７１０を装填している第１の時点での装填サブアセンブリ７０４−ｐの一部の側面図を示す。物品７１０は図５Ａの物品５１０と同じであり、同様の番号の要素は同じように構成されているが、物品７１０は、物品７１０の部分的に切り取られた上部７１８により図示されているように、その上端に円形凹区域７１９−ｉを含んでいる。
【００５８】
装填サブアセンブリ７０４−ｐは、物品キャリア７３２、物品ホルダー７３３の底部７３３−ｂ、角度エンコーダー７３６、物品ホルダー７３３の上部７３３−ｔ、及び駆動部７３７を含む。物品キャリア７３２は、物品７１０を保持し、かつ物品７１０を持ち上げてリフト機構７３２−ｌｍで上下に動かすように構成された無蓋台車を含む。図７Ａは、物品７１０が物品ホルダー７３３により捕捉されて保持され得る位置までリフト機構７３２−ｌｍが物品７１０を移動７３２−ｍｉさせているところを図示している。
【００５９】
物品ホルダー７３３の底部７３３−ｂは、底部７３３−ｂの切り取り図に示されている底開口部７３３−ｂｏに物品７１０の底７１２を受容するように構成されている。底部７３３−ｂは、物品ホルダー７３３に保持されている物品７１０の回転を可能にする底枢軸７３３−ｂａを含む。図７Ａにおいて、底部７３３−ｂは内方７３３−ｍｉに移動して物品７１０の底７１２と係合し、物品７１０を保持する。
【００６０】
底枢軸７３３−ｂａは（可変の長さ及び中間構成要素の可能性を示すために）中断されて描かれているが、底枢軸７３３−ｂａは、角度エンコーダー７３６のエンコーダー枢軸７３６−ａに軸接続されている。角度エンコーダー７３６は、角度エンコーダー７３６がコントローラ７０５と通信するのを可能にする接続７３６−ｃを含み、このコントローラは、物品ホルダー７３３の角度位置を示す角度エンコーダー７３６からの信号を受信することができ、次いで、角度ホルダー７３３によって保持されている物品７１０の角度位置を示す。様々な実施形態において、角度エンコーダーは、当業者には理解されるように、軸方向の接続を必要とせずに物品ホルダー７３３又は物品７１０の角度位置を読み取るように構成され得る。
【００６１】
物品ホルダー７３３の上部７３３−ｔは、物品７１０の部分切り取り上部７１８が図示するように、物品７１０の上部７１８の円形凹部７１９−ｉに少なくとも部分的に入るように、ノーズ端部７３３−ｔｎとともに構成される。上部７３３−ｔは、物品ホルダー７３３によって保持されている間に物品７１０が回転するのを可能にする枢軸７３３−ｔａを含む。図７Ａにおいて、上部７３３−ｔは内方に移動７３３−ｔｍｉして物品７１０の上部７１８と係合し、物品７１０を保持する。
【００６２】
上部枢軸７３３−ｔａは（可変の長さ及び中間構成要素の可能性を示すために）中断されて描かれているが、上部枢軸７３３−ｔａは駆動部７３７の駆動軸７３７−ａに軸接続されている。駆動部７３７は、駆動部７３７がコントローラ７０５と通信するのを可能にする接続７３７−ｃを含み、このコントローラは、物品ホルダー７３３を回転するための指示信号を駆動部７３７に送信することができ、次いで、角度ホルダー７３３によって保持されている物品７１０を回転する。当業者には理解されるように、様々な実施形態において、駆動部は、軸方向の接続を必要とせずに物品ホルダー７３３又は物品７１０を回転するように構成され得る。
【００６３】
図７Ｂは、物品ホルダー７３３に物品７１０が装填された第２の時点での図７Ａの装填サブアセンブリ７０４−ｐの部分の側面図を示す。図７Ｂは、物品７１０が物品ホルダー７３３により捕捉されて保持されたので、リフト機構７３２−ｌｍが物品７１０から下方に離れて移動７３２−ｍｏしているところを図示している。物品ホルダー７３３の底部７３３−ｂが物品７１０の底７１２を底開口部７３３−ｂｏに受容し、物品ホルダー７３３の上部７３３−ｔのノーズ端部７３３−ｔｎが物品７１０の上７１８の円形凹部７１９−ｉに少なくとも部分的に入った状態で、物品ホルダー７３３は物品７１０を保持しており、物品ホルダー７３３は、本明細書に記載のプロセス及び機械を用いて物品７１０が装飾される間に、物品７１０とともに回転するように構成される。
【００６４】
図８Ａは、本開示の実施形態による、物品８１０の外側表面８１４上のしるし８０２の存在を検出するための位置合わせサブアセンブリ８０４−１５０ａの部分の上面斜視図を示す。物品８１０は図５Ａ〜５Ｃの物品５１０と同じであり、同様の番号が付された要素は同じように構成されている。物品８１０がその長手方向軸８１５の周囲を回転８１０−ｒするにつれて、センサー８５２−ａがスキャニングエミッション８５４−ａを外側表面８１４の少なくとも一部分上に投射して、しるし８０２の存在を検出する。センサー８５２は、しるし８０２の存在が検出されたことを示すセンサー８５２−ａからの信号を受信することが可能なコントローラ８０５とセンサー８５２−ａとが通信するのを可能にする接続８５２−ａｃを含む。
【００６５】
図８Ｂは、本開示の実施形態による、物品８１０の底端部８１１上の機械的特徴８１０−ｍｆの存在を検出するための位置合わせサブアセンブリ８０４−１５０ｂの部分の上面斜視図を示す。物品８１０は図５Ａ〜５Ｃの物品５１０と同じであり、同様の番号が付された要素は同じように構成されている。物品８１０がその長手方向軸８１５の周囲を回転８１０−ｒするにつれて、センサー８５２−ｂがスキャニングエミッション８５４−ｂを底端部８１１の少なくとも一部分上に投射して、機械的特徴８１０−ｍｆの存在を検出する。センサー８５２−ｂは、機械的特徴８１０−ｍｆの存在が検出されたことを示すセンサー８５２−ｂからの信号を受信することが可能なコントローラ８０５とセンサー８５２−ｂとが通信するのを可能にする接続８５２−ｂｃを含む。
【００６６】
図９は、本開示の実施形態による、非接触式の直線配列のオンデマンド型堆積を行う模様堆積装置９６２を含む堆積サブアセンブリ９６１−ｐの部分の底面斜視図を示す。模様堆積装置９６２は、箱のような全体形状を有する本体９６８を含む。堆積装置９６２の底部はエミッターの直線配列９６３を含み、そこから堆積装置が、配列９６３の下に位置づけられた表面上に堆積される材料を放出する。堆積装置９６２の前側は、配列９６３の場所を指示する整列のしるし９６４を含む。堆積装置９６２は、そのエミッターを中心とし、かつ全体的な配向と並行して、直線配列９６３の外向きの面の上に配置される、直線堆積軸９６５を含む。堆積装置９６２はまた、直線堆積軸９６３で相互に交差する水平基準軸９６６及び垂直基準軸９６７を含む。堆積装置９６２は、堆積装置９６２−ｃがコントローラ９０５と通信するのを可能にする接続９６２−ｃを含み、このコントローラが堆積装置９６２−ｃに、既定のテクスチャ模様で表面上に材料の１つ又は２つ以上の層を堆積するように指示を送信することができる。
【００６７】
図１０Ａは、本開示の実施形態による、堆積サブアセンブリ１０６１−ｐの部分の前端図であり、長手方向軸１０１５の周囲を物品１０１０が回転する１０１０−ｒ間に該物品の外側表面１０１４上にテクスチャ模様１０７０を形成するために、模様堆積装置１０６２が材料１０６９を堆積させる。図１０Ａにおいて、物品１０１０は図５Ａ〜５Ｃの物品５１０と同じであり、テクスチャ模様１０７０は図６Ｂのテクスチャ模様６７０と同じであり、堆積装置１０６２は図９の堆積装置９６２と同じであり、コントローラ１００５は図９のコントローラ９０５と同じであり、同様の番号が付された要素は同じように構成されている。
【００６８】
図１０Ｂは、本開示の実施形態による、堆積サブアセンブリ１０６１−ｐの一部及び図１０Ａの物品１０１０並びにピニングサブアセンブリ１０８１−ｐの部分の拡大前端図を示しており、ピニング光源１０８１は、長手方向軸１０１５の周囲を物品１０１０が回転する１０１０−ｒ間に物品１０１０の外側表面１０１４上にピニングレベルの紫外線１０８２を適用する。ピニング光源１０８１は紫外線１０８２を集束するための集束要素１０８３を含む。
【００６９】
ピニングサブアセンブリ１０８１−ｐはまた、光シールドを有し、この光シールドは、ピニング光源１０８１の両側に内方光シールド１０８６及び外方光シールド１０８７を含んでいる。内方光シールド１０８６の各々は、ピニング光源１０８１の本体から物品１０１０の方に延びて、外側表面１０１４からわずかにずれた位置の遠位端で終端する、延長脚部１０８６−ｌを有する。外方光シールド１０８７の各々もまた、ピニング光源１０８１の本体から物品１０１０の方に延びて、任意の足部１０８７−ｆを有する遠位端で終端する延長脚部１０８７−ｌを有し、この任意の足部１０８７−ｆは、延長脚部１０８７−ｌに実質的に垂直であり、かつ外側表面１０１４からわずかにずれて配置される。ピニング光源１０８１からの光が堆積装置１０６２の直線配列１０６３に達すると、そのような露光が直線配列１０６３のエミッターを破損する可能性があるので、光シールド１０８６及び１０８７は、そのような露光を防ぐのを少なくとも助けるように構成される。
【００７０】
図１１Ａ〜１１Ｂは、本開示の実施形態による、堆積サブアセンブリ１１６１−ｐの部分を示し、ここで、２つの非接触式の直線配列のオンデマンド型堆積を行う模様堆積装置１１６２−１及び１１６２−２が、長手方向軸１１１５の周囲を物品１１１０が回転する１１１０−ｒ間に、しるしを有する細長い三次元の個別の物品１１１０の外側表面１１１４上に材料を堆積してテクスチャ模様１１７０を形成する。図１１Ａは上面斜視図を示し、図１１Ｂは前端図を示す。図１１Ａ〜１１Ｂの実施形態の要素は図１０Ａ〜１０Ｂの実施形態の同様の番号の要素と同じように構成されているが、物品１１１０は物品１０１０より長く、物品１１１０の垂直基準軸１１１７に対して角度α１及び角度α２でそれぞれ傾斜した２つの堆積装置１０６２−１及び１０６２−２が存在する。
【００７１】
図１２Ａは、本開示の実施形態による、細長い三次元の個別の物品１２１０−ａ１を装飾するための機械１２０４−ａの概略側面図を示し、機械１２０４−ａは、垂直に配向された非往復回転運動１２０４−ａｍのために構成されたインデクシングサブアセンブリ１２９２−ａと、本開示のサブアセンブリの実施形態に応じてそれぞれ構成された複数のサブアセンブリ１２９３−ａ１、１２９３−ａ２、１２９３−ａ３、及び１２９３−ａｎとを有し、それらのサブアセンブリはそれぞれ、そのサブアセンブリで処理されている物品に対応する位置１２９４−ａ１、１２９４−ａ２、１２９４−ａ３、及び１２９４−ａｎを有する。本開示のコントローラの実施形態に従って構成されたコントローラ１２０５−ａによって制御される機械１２０４−ａは、コンベア１２９１−ａから未装飾の又は部分的に装飾された物品１２１０−ａ１を取り込み、図１のプロセス１００の実施形態に従って装飾された、完全に装飾された物品１２１０−ａ２をコンベア１２９１−ａ上に戻す。
【００７２】
図１２Ｂは、本開示の実施形態による、細長い三次元の個別の物品１２１０−ｂ１を装飾するための機械１２０４−ｂの概略側面図を示し、機械１２０４−ｂは、水平に配向された往復直線運動１２０４−ｂｍのために構成されたインデクシングサブアセンブリ１２９２−ｂと、本開示のサブアセンブリの実施形態に応じてそれぞれ構成された複数のサブアセンブリ１２９３−ｂ１、１２９３−ｂ２、１２９３−ｂ３、及び１２９３−ｂｎとを有し、それらのサブアセンブリはそれぞれ、そのサブアセンブリで処理されている物品に対応する位置１２９４−ｂ１、１２９４−ｂ２、１２９４−ｂ３、及び１２９４−ｂｎを有する。本開示のコントローラの実施形態に従って構成されたコントローラ１２０５−ｂによって制御される機械１２０４−ａは、コンベア１２９１−ｂから未装飾の又は部分的に装飾された物品１２１０−ｂ１を取り込み、図１のプロセス１００の実施形態に従って装飾された完全に装飾された物品１２１０−ｂ２をコンベア１２９１−ｂ上に戻す。
【００７３】
図１３Ａ〜１３Ｃは、本開示の実施形態による、しるし１３０２を有しかつテクスチャ模様１３７０で装飾された例示の物品１３１０を示す。図１３Ａは物品１３１０の上面斜視図を示し、図１３Ｂは物品１３１０の上面図を示し、図１３Ｃは物品１３１０の底面図を示す。図１３Ａ〜１３Ｃにおいて、物品１３１０は図５Ａ〜５Ｃの物品５１０と同じであり、しるし１３０２は図５Ａ〜５Ｃのしるし５０２と同じであり、テクスチャ模様１３７０は図６Ｂのテクスチャ模様６７０と同じであり、同様の番号の要素は同じように構成されている。物品１３１０は、図１のプロセス１００の実施形態及び図１２Ａの機械１２０４−ａの実施形態を含む本明細書に記載のプロセス及び機械の様々な実施形態を用いて装飾することができる。
【００７４】
しかしながら、本開示の範囲はこの特定の機械とプロセスと物品の組み合わせに限定されない。本明細書に記載の機械の任意の実施形態を使用して、本明細書に記載の又は当該技術分野で公知の任意の細長い三次元の個別の物品に、任意の実行可能な組み合わせにおいて、本明細書に記載の装飾プロセスの実施形態のいずれかを実施することができる。結果として、本開示の実施形態を使用して、本明細書に記載したように、細長い三次元の個別の物品を効率的かつ効果的に装飾して、装飾的なしるしとテクスチャ模様の組み合わせを有するようにすることができる。
【００７５】
本明細書で使用するとき、用語「およそ（nearly）」は、５パーセントをプラス又はマイナスした（＋／−５％）特定の値と等しい範囲を指すことにより、特定の値を修飾する。本明細書に開示されている実施形態のいずれかについて、特定の値（又は、近似を示す用語で修飾され得る任意の定量的又は定性的な記述）の開示もまた、様々な代替実施形態において、ほぼこの特定の値に等しい範囲（すなわちプラス／マイナス５％）の開示として理解され得る。
【００７６】
本明細書で使用するとき、用語「実質的に」は、１０パーセントをプラス又はマイナスした（＋／−１０％）特定の値と等しい範囲を指すことにより、特定の値を修飾する。本明細書に開示されている実施形態のいずれかについて、特定の値（又は、近似を示す用語で修飾され得る任意の定量的又は定性的な記述）の任意の開示もまた、様々な代替実施形態において、およそこの特定の値に等しい範囲（すなわちプラス／マイナス１０％）の開示として理解され得る。
【００７７】
本明細書で使用するとき、用語「約／およそ／周辺（approximately）」は、１５パーセントをプラス又はマイナスした（＋／−１５％）特定の値と等しい範囲を指すことにより、特定の値を修飾する。本明細書に開示されている実施形態のいずれかについて、特定の値（又は、近似を示す用語で修飾され得る任意の定量的又は定性的な記述）の任意の開示もまた、様々な代替実施形態において、およそこの特定の値に等しい範囲（すなわちプラス／マイナス１５％）の開示として理解され得る。
【００７８】
本明細書で使用するとき、用語「およそ（about）」は、２０パーセントをプラス又はマイナスした（＋／−２０％）特定の値と等しい範囲を指すことにより、特定の値を修飾する。本明細書に開示されている実施形態のいずれかについて、特定の値（又は、近似を示す用語で修飾され得る任意の定量的又は定性的な記述）の開示もまた、様々な代替実施形態において、ほぼこの特定の値に等しい範囲（すなわちプラスマイナス２０％）の開示として理解され得る。
【００７９】
本明細書で開示する寸法及び値は、列挙された正確な数値に厳密に限られるとして理解されるべきではない。むしろ、別段の指定がない限り、かかる寸法のそれぞれは、記載された値及びその値の周辺の機能的に同等な範囲の両方を意味するものとする。例えば、「４０ｍｍ」と開示された寸法は、「約４０ｍｍ」を意味することを意図する。
【００８０】
相互参照されるか又は関連する全ての特許又は特許出願、及び本願が優先権又はその利益を主張する任意の特許出願又は特許を含む、本明細書において引用される全ての文書は、特に除外すること又は別途限定することを明言しない限り、その全体が本明細書に組み込まれる。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、本文書における用語の任意の意味又は定義が、参照することによって組み込まれた文書内の同じ用語の意味又は定義と競合する場合は、本文書におけるその用語に与えられた意味又は定義が適用されるものとする。
【００８１】
本発明の特定の実施形態が例示され記載されてきたが、本発明の趣旨及び範囲から逸脱することなく他の様々な変更及び修正をなすことができることが当業者には自明であろう。したがって、本発明の範囲内に含まれるそのような全ての変更及び修正は、添付の特許請求の範囲にて網羅することを意図したものである。
【図１】
2016540660.tif 000003
【図２Ａ】
2016540660.tif 000004
【図２Ｂ】
2016540660.tif 000005
【図２Ｃ】
2016540660.tif 000006
【図３Ａ】
2016540660.tif 000007
【図３Ｂ】
2016540660.tif 000008
【図３Ｃ】
2016540660.tif 000009
【図４Ａ】
2016540660.tif 000010
【図４Ｂ】
2016540660.tif 000011
【図４Ｃ】
2016540660.tif 000012
【図５Ａ】
2016540660.tif 000013
【図５Ｂ】
2016540660.tif 000014
【図５Ｃ】
2016540660.tif 000015
【図６Ａ】
2016540660.tif 000016
【図６Ｂ】
2016540660.tif 000017
【図７Ａ】
2016540660.tif 000018
【図７Ｂ】
2016540660.tif 000019
【図８Ａ】
2016540660.tif 000020
【図８Ｂ】
2016540660.tif 000021
【図９】
2016540660.tif 000022
【図１０Ａ】
2016540660.tif 000023
【図１０Ｂ】
2016540660.tif 000024
【図１１Ａ】
2016540660.tif 000025
【図１１Ｂ】
2016540660.tif 000026
【図１２Ａ】
2016540660.tif 000027
【図１２Ｂ】
2016540660.tif 000028
【図１３Ａ】
2016540660.tif 000029
【図１３Ｂ】
2016540660.tif 000030
【図１３Ｃ】
2016540660.tif 000031
【国際調査報告】
2016540660.tif 000032
2016540660.tif 000033